(57)【要約】【課題】　簡単な構造で中綿式筆記具の先軸と軸筒とのシール性の向上を図り、確実に先軸と軸筒とを装着できるとともに、容易に取外すことができ、しかも、周囲を汚すことなく容易にインクを補充することができる中綿式筆記具用の中綿収容器を提供する。【解決手段】　中綿式筆記具１の交換用の中綿を収容する補充用中綿収容器３１であって、中綿収容器３１のケース部３３の底部３３ｂに、中綿式筆記具１の先軸５の凹状係合部５ｆに係合される凸状係合部３６を有し、この中綿収容器３１の凸状係合部３６を前記先軸５の凹状係合部５ｆに係合することにより前記先軸５と軸筒２の収容部４の開口部との螺合の締め込み、または、弛緩操作を行なう。【選択図】　図６
2004066833.tif 000002
【特許請求の範囲】
【請求項１】
　軸筒内部にインクが含浸された中綿を収容する収容部が形成され、該軸筒の一端側に前記収容部の開口部が形成され、ペン芯が設けられる先軸が前記開口部に螺合装着され、前記先軸に複数の凹状または凸状の係合部が形成された中綿式筆記具の交換用の中綿を収容する中綿収容器であって、
　中綿収容器は、その一端部に、前記先軸の係合部に係合される凸状または凹状の係合部を有し、
　この中綿収容器の係合部を前記中綿式筆記具の先軸の係合部に係合することにより前記先軸と前記軸筒の開口部との螺合の締め込み、または、弛緩操作を行なうことを特徴とする中綿式筆記具用の中綿収容器。
【請求項２】
　本体と蓋部を備え、本体または蓋部の一端部に、前記先軸の係合部に係合される凸状または凹状の係合部を設けたことを特徴とする請求項１に記載の中綿式筆記具用の中綿収容器。
【請求項３】
　前記先軸の係合部に係合される凸状または凹状の係合部を除く範囲で先軸のペン芯取付け部を挿入可能な開口部または凹部を形成したものであることを特徴とする請求項１または２に記載の中綿式筆記具用の中綿収容器。
【請求項４】
　前記先軸の係合部に係合される凸状または凹状の係合部を除く範囲で先軸のペン芯取付け部が干渉しない空間を有するペン先逃がし部を設けたことを特徴とする請求項１または２に記載の中綿式筆記具用の中綿収容器。
【発明の詳細な説明】
【技術分野】
【０００１】
　本発明は、中綿収容器に関し、特に、中綿にインクを補充するタイプの中綿式筆記具の交換用の中綿を収容する中綿収容器に関するものである。
【背景技術】
【０００２】
　従来、筆記具において、インクを保有するためにインクが含浸された中綿を軸筒内に収容した中綿式筆記具が多く用いられている。
　このような中綿式筆記具においては、中綿を密閉するために先軸を軸筒に固定する方式として、ネジ嵌合を利用することはすでに知られている。
　また、近年、一本の筆記具の両端部にペン先を備え、一方を太書き用として他方を細書き用とした、いわゆる両頭式の筆記具も多く用いられているが、このような両頭式の筆記具においても、ネジ嵌合で先軸を軸筒に固定する方式は、従来から行なわれていた。
【０００３】
　このような中綿式筆記具において、インクが消耗した場合にはインクを補充して、筆記具本体を引き続き再使用するものが知られている。
　特に、両頭式の筆記具においてインクを補充する方式として、特許文献１に開示されているように、先軸を軸筒より引き抜いて、軸筒内に収容された中綿にインクを補充する方式が提案されている。
【特許文献１】実開平６−８６９８８号公報（実用新案登録請求の範囲、図１等参照）
【発明の開示】
【発明が解決しようとする課題】
【０００４】
　しかしながら、上記のような従来の方式によると、インクを中綿に入れる際に、インクが飛散してしまい周囲を汚すおそれがあるという問題点があった。
　また、軸筒から先軸を取外す時に、指で先軸の先端部を潰したり、また、先軸を引き抜くために大きな力を必要とする等、インクを補給する作業に問題があった。
【０００５】
　上記問題点の対策として、先軸を取外し易くするために先軸と軸筒との嵌合力を弱めることが考えられるが、この場合、先軸と軸筒とのシール性が低下してインクが漏れ易くなるという問題が生じる。
【０００６】
　そこで、先軸と軸筒のシール性を向上させるために、シール部の締め代を大きく取るとともに嵌合を強くしても、先軸を軸筒から容易に取外すことができるようにすることが望まれている。
【０００７】
　本発明は、上記従来の問題点に鑑みてなされたものであり、簡単な構造で中綿式筆記具の先軸と軸筒とのシール性の向上を図り、確実に先軸と軸筒とを装着できるとともに、容易に取外すことができ、しかも、周囲を汚すことなく容易にインクを補充することができる中綿式筆記具用の中綿収容器を提供することを目的とするものである。
【課題を解決するための手段】
【０００８】
　本発明は、中綿式筆記具用の中綿収容器に係り、軸筒内部にインクが含浸された中綿を収容する収容部が形成され、該軸筒の一端側に前記収容部の開口部が形成され、ペン芯が設けられる先軸が前記開口部に螺合装着され、前記先軸に複数の凹状または凸状の係合部が形成された中綿式筆記具の交換用の中綿を収容する中綿収容器であって、中綿収容器は、その一端部に、前記先軸の係合部に係合される凸状または凹状の係合部を有し、この中綿収容器の係合部を前記中綿式筆記具の先軸の係合部に係合することにより前記先軸と前記軸筒の開口部との螺合の締め込み、または、弛緩操作を行なうことを特徴とするものである。
【０００９】
　なお、本発明においては、本体と蓋部を備え、本体または蓋部の一端部に、前記先軸の係合部に係合される凸状または凹状の係合部を設けたことが好適である。
　また、前記先軸の係合部に係合される凸状または凹状の係合部を除く範囲で先軸のペン芯取付け部を挿入可能な開口部または凹部を形成したことが好適である。
　また、前記先軸の係合部に係合される凸状または凹状の係合部を除く範囲で先軸のペン芯取付け部が干渉しない空間を有するペン先逃がし部を設けたことが好適である。
【発明の効果】
【００１０】
　以上、説明したように本発明の請求項１〜４記載の中綿式筆記具用の中綿収容器によれば、中綿式筆記具の先軸に複数の凹状または凸状の係合部を形成し、中綿収容器を用いて前記先軸と前記開口部との螺合の締め込み、または、弛緩操作を行なうようにしたので、先軸の先端部を潰すことなく、該先軸を容易に着脱することができる。しかも、先軸の着脱作業における力を必要とする場合において、先端部を素手で直接作業することがないので汚れることがなく、容易にインクを補充することができる。
【００１１】
　また、中綿を収容する中綿収容器を利用して、該中綿収容器の本体または蓋部の一端部に、前記先軸の係合部に係合される凹状または凸状の係合部を設けることで、治具部材を特別に設けることなく、中綿を交換するとき確実に準備できる。
【００１２】
　なお、前記先軸の係合部に係合される凸状または凹状の係合部を除く範囲でペン芯部を挿入可能な開口部または凹部を形成することにより、または、前記先軸の係合部に係合される凸状または凹状の係合部を除く範囲で先軸のペン芯取付け部が干渉しない空間を有するペン先逃がし部を設けることにより、ペン先を損傷することなく先軸の着脱を行うことができる。
【発明を実施するための最良の形態】
【００１３】
　以下、本発明の実施形態を、図面を参照して詳細に説明する。
　図１〜図６は本発明を実施する形態の一例であって、図中、図と同一の符号を付した部分は同一物を表わしている。
【００１４】
　図１は、本発明の実施形態に係る補充用中綿収容器（中綿収容器）により補充用の中綿を収容する両頭タイプの中綿式筆記具の全体の構成を示す部分断面図、図２は前記中綿式筆記具の軸筒の太側端部付近の構成を示す詳細部分断面図、図３は前記中綿式筆記具の軸筒の細側端部付近の構成を示す詳細部分断面図、図４は前記中綿式筆記具の構成を示す概略分解図、図５は本実施形態に係る補充用中綿収容器の構成を示す概略分解図、図６は中綿式筆記具の軸筒と先軸の着脱操作を示す説明図である。
【００１５】
　中綿式筆記具は、図１に示すように、両端部にペン先を備え、軸筒２内部にインクが含浸された中綿３が収容される収容部４を有する両頭式の中綿式筆記具１である。
【００１６】
　前記軸筒２は、略テーパー状の外形を呈し、一方の太側端部２ａには先軸５が取付けられ、他方の細側端部２ｂにはクチプラ６が取付けられている。前記先軸５には太側ペン芯７が取付けられ、クチプラ６には細側ペン芯８が取付けられている。前記太側ペン芯７および細側ペン芯８は、前記中綿３の両端部に各々嵌挿され、中綿３のインクが両端部のペン芯７、８に浸透してどちらのペン芯でも筆記可能となっている。
【００１７】
　前記太側端部２ａには、図２に示すように、その太側外周部２ｃおよびペン芯側を覆うように太側キャップ１０が着脱自在に装着されている。
【００１８】
　また、前記太側端部２ａの開口側の内周部にはネジ部２ｄが形成され、一方、前記先軸５の外周にはネジ部５ａが形成されて、このネジ部２ｄ、５ａを螺合させることで、前記太側端部２ａに前記先軸５を装着するようにしている。
　前記先軸５は、太側端部２ａと嵌合される軸側嵌合部５ｂの太側端部２ａの先端寄りにシール材１４を設けて先軸５と太側端部２ａの嵌合部をシールしている。
【００１９】
　前記先軸５は、図２、４に示すように、ペン先側前面部５ｃに略中央に太側ペン芯７が設けられるペン芯取付け部５ｄが軸心方向に沿って筒状に形成され、該ペン芯取付け部５ｄの基部より後方に向かい略円錐状に形成され、その該円錐状前面部５ｅに円周方向に向かい略４等配で凹状係合部５ｆが４箇所形成されている。前記凹状係合部５ｆは、略矩形状の断面を有している。
【００２０】
　前記太側キャップ１０は、ペン芯７の先端が収納される内壁部のペン先に近い位置にシール部１０ｂが突出形成され、ペン芯取付け部５ｄの外周部との嵌合により、太側キャップ１０内部のペン芯７側をシールするようにされている。
【００２１】
　前記太側キャップ１０の開口側端部１０ａ寄りの内側には、クリック部１０ｃが円周に沿って内側に突出形成されている。前記クリック部１０ｃと対向する太側端部２ａのクリック側外周部２ｇに該クリック部１０ｃを圧着させて太側キャップ１０を保持するようにされている。図中の符号１０ｄはクリップである。
【００２２】
　前記細側端部２ｂは、図３に示すように、略筒状に形成され、その先端側外周部２ｈおよびペン芯側を覆うように細側キャップ１１が着脱自在に装着されている。前記細側キャップ１１による密封構造は、前記細側端部２ｂの先端側外周部２ｈと該細側キャップ１１の内部の細側内周部１１ａとの嵌合による嵌合シール１３により、キャップ内部のペン芯８側をシールするようにしている。
【００２３】
　前記細側キャップ１１の開口側端部１１ｂ寄りの内側には、クリック部１１ｃが円周に沿って突出形成されている。前記クリック部１１ｃと対向する細側端部２ｂの細側外周部２ｉに該クリック部１１ｃを圧着させて細側キャップ１１を保持するようにされている。
　前記細側端部２ｂの内側には、略円筒状を呈するクチプラ６が嵌入され、該クチプラ６の内側には、細側ペン芯８が設けられている。
　クチプラ６は、軸筒２に対して圧入固定されている。
【００２４】
　ここで、中綿式筆記具１本体の概略構成を図１、４に示す。
　図中の中綿式筆記具１は、太側キャップ１０と細側キャップ１１を取外した状態であって、中綿３の交換は、軸筒２から先軸５を外して、太側端部２ａ側より行なう。
【００２５】
　中綿３の交換に際し、補充用中綿３０は、図５に示すように、円筒状の補充用中綿収容器３１に収容されている。
　前記補充用中綿収容器３１は、補充用中綿３０を収容するため収容部３２を有するケース部３３と蓋部３４とを備えている。
【００２６】
　前記ケース部３３は、円筒状を呈し、一端部に収容部３２の開口部３２ａが形成されるとともに、内部に形成された隔壁部３５により内部空間を、前記収容部３２とペン先逃がし部３７とに分割して構成されている。
　ケース底部３３ｂには、先軸５に形成される凹状係合部５ｆと対向する位置に凸状係合部３６となるリブ状の凸部が、軸心方向に向うとともに外側に向かい４箇所に突出形成され、該凸状係合部３６を除く範囲で前記ペン先逃がし部（ペン芯逃がし部）３７の開口部３７ａが開口形成されている。すなわち、前記ケース底部３３ｂは、先軸５を軸筒２に着脱するための治具を兼用している。
【００２７】
　前記収容部３２は、蓋部３４をケース部３３に装着した状態で形成される収容部３２の空間が補充用中綿３０を収納可能なスペースを形成するように構成されている。
　前記ペン先逃がし部３７は、先軸５の凹状係合部５ｆに凸状係合部３６を嵌合した状態で、先軸５側のペン芯部が隔壁部３５に干渉することなく配置できるように形成されている。
　前記蓋部３４は、内部に中空部３４ａを形成するとともに、一端部３４ｂ側を開口形成し、後端部３４ｄを閉ざす形状を呈している。
【００２８】
　次に、中綿式筆記具１における先軸５と軸筒２との着脱について、図６を参照して説明する。
　図６に示すように、中綿式筆記具１は先軸５と軸筒２とが組み付けられた状態にある。前記先軸５と軸筒２とは螺合装着されている。
　この状態から前記先軸５を軸筒２から取外す場合、ネジ部５ａ，２ｄを弛める必要がある。
　まず、ケース底部３３ｂと先軸５を対向させて、開口部３７ａに太側ペン芯７側を差し込んで、ケース底部３３ｂの凸状係合部３６と凹状係合部５ｆとを嵌め合わせる。
【００２９】
　この時、前記太側ペン芯７は、ペン先逃がし部３７に配置されるため、何とも干渉することなく先軸５をケース底部３３ｂに装着できる。
　そして、ケース部３３を握り、該ケース部３３を先軸５に押し付けた状態で、先軸５のネジ部（図示省略）が弛む方向（例えば、反時計回りの方向）にケース部３３を回転させる。
【００３０】
　ネジ部が弛んだら、ケース部３３を先軸５から外して、後は素手で先軸５を簡単に回して軸筒２から取外す。
　こうして、軸筒２内から中綿３を取り出せる状態となる。使用済みの中綿３を軸筒２から取り出し、新しい補充用中綿３０を入れて、先軸５を装着して補充用中綿３０を軸筒２に収容する。使用済みの中綿３は、作業終了後、補充用中綿３０が収容されていた補充用中綿収容器３１に入れて処分する。
【００３１】
　そして、再びケース底部３３ｂを先軸５に押し当てて、ケース底部３３ｂの凸状係合部３６と凹状係合部５ｆとを嵌め合わせる。
　そして、ケース部３３を握り、該ケース部３３を先軸５に押し付けた状態で、先軸５のネジ部が締まる方向（例えば、時計回りの方向）にケース部３３を回転させて、先軸５と軸筒２とをさらに締め付けて螺合状態を確実にする。このようにして、補充用中綿３０が収容される収容部４を確実に密閉することができる。
【００３２】
　以上のように構成したので、本実施形態によれば、補充用中綿３０を収容する補充用中綿収容器３１のケース部３３を利用して、簡単な構成で治具を構成して、確実に先軸５と軸筒２とを容易に、かつ確実に着脱することができるとともに、先軸５と軸筒２とのシール性の向上を図ることができる。しかも、先軸５の着脱作業を行なう場合、ケース部３３を持って作業するため、手を汚すことなく確実に作業を行なうことができる。
　また、インクを含浸させた中綿を交換することでインクを補充するようにしたので、直接インクを供給する必要がないので、周囲を汚すことなく容易にインクを補充することができる。
【００３３】
　また、実施形態では、前記先軸５の装着部の外周にネジ部５ａを形成し、前記軸筒２の太側端部２ａの開口部の内周部に前記装着部と対応するネジ部２ｄを形成したことにより、簡単な構成で軸筒２を外側にして先軸５を装着することができるので、太側キャップ（キャップ）１０によるペン先部の密閉を確実にすることができる。
【００３４】
　尚、本実施形態の太側キャップ１０によるペン先部のシール構造を、ペン芯７の先端が収納される内壁部のペン先に近い位置にシール部１０ｂを突出形成して、ペン芯取付け部５ｄの外周部との嵌合により、太側キャップ１０内部のペン芯７側をシールするようにしているが、本発明は、これに限定されるものではなく、例えば、その他の実施例として、図７に示すように、太側キャップ１１０による密封構造を、先細りのテーパ状に形成される太側端部２ａの太側外周部２ｃと、太側キャップ１１０の開口側端部１０ａの内側円周方向に亘り内側にシール部１１０ｂを突出形成されて、太側キャップ１１０内部の先軸５の先端側をシールするようにしたものであってもよい。
【００３５】
　このような構成によれば、太側キャップ１１０のシール部１１０ｂを軸筒２の外周部に当接してシールするようにしたので、太側キャップ１１０が先軸５と接することがなく、使用者が太側キャップ１１０を軸筒２に対して不要に回転させた場合であっても、先軸５と軸筒２との螺合状態が弛むことが無く、インクの漏れを防止することができるという優れた効果を奏する。
【００３６】
　次に、第２の実施形態を、図面を参照して説明する。
　図８〜図１１は本実施形態の一例を示すものであって、図８は、本発明の第２の実施形態に係る中綿式筆記具の先軸と螺合締め込み装置の構成を示す説明図、図９は図８のＡ矢視図、図１０は図８のＢ−Ｂ断面矢視図、図１１は前記螺合締め込み部材の全体構成を示す平面図である。
【００３７】
　第２の実施形態は、図８に示すように、軸筒２０２内部にインクが含浸された中綿（図示省略）が収容され、該軸筒２０２の一方端部にペン先を備えた先軸２０５が取付けられた中綿式筆記具２００において、インク補充や中綿交換時に前記先軸２０５を軸筒２０２から取外す際に、螺合締め込み部材２１０を用いて着脱するようにしたものである。
【００３８】
　前記先軸２０５は、図８に示すように、前記軸筒２０２の一端部内側に螺合挿着される軸筒側後端部（図示省略）と、前記軸筒２０２の端部から外側に露出して取付けられるペン先側前面部２０６とを有している。前記軸筒側後端部には雄ネジ部が形成され、軸筒２０２の内側に形成された雌ネジ部と前記雄ネジ部とを螺合して締結するようにされている。
【００３９】
　前記ペン先側前面部２０６は、その先端側に先端方向に向かい先細りの略テーパ状の先端部２０６ａが形成され、前記先端部２０６ａと連続してシール部２０６ｂが形成される略円筒状の先軸胴部２０６ｃが形成されるとともに、前記先軸胴部２０６ｃと連続してその端部に前記軸筒２０２に当接して位置決めするための顎部２０６ｄが形成されている。
【００４０】
　前記先端部２０６ａにはペン芯２０７が取付けられている。
　前記鍔部２０６ｄは、図８に示すように、前記先軸胴部２０６ｃの外径よりも大きな寸法で円周方向に連続して突設され、先軸２０５を軸筒２０２に螺合締結する際に、軸筒２０２の端部と当接してネジ部の入り込みを防止するストッパ機能を備えたものである。また、前記鍔部２０６ｄ外周部には、その外周部の円周方向に沿って４等配された位置に（円周に沿って９０°毎の位置に）、図９に示すように、平面視で内側に略矩形状に窪んだ凹状係合部２０６ｅが４箇所に形成されている。
【００４１】
　次に、螺合締め込み部材２１０の構成について説明する。
　前記螺合締め込み部材２１０は、図８、図１０、図１１に示すように、一端部に先軸胴部２０６ｃが挿嵌可能な先軸係合部２１１が形成される一方、他端部に把持するための把持部２１２が一体的に形成されている。
【００４２】
　前記先軸係合部２１１には、図１０に示す平面視で前記先軸２０５と相似する略円状の貫通穴２１１ａが形成されている。前記貫通穴２１１ａの内周縁には、先軸２０５の鍔部２０６ｄに形成された凹状係合部２０６ｅに対応して、内周方向に沿って４等配された位置に、平面視で内側に向かい前記凹状係合部と略相似形状に凸状係合部２１１ｂが４箇所に突設されている。
【００４３】
　また、前記先軸係合部２１１は、図８に示すように、側面視で略矩形状断面を有し、前記把持部２１２よりも薄く形成されて、その厚さ方向の略中央部に前記凸状係合部２１１ｂが形成されている。
　前記先軸係合部２１１の鍔部２０６ｄと対向する部分には、前記鍔部２０６ｄの平面視外形と略相似形状に窪んだ凹部２１１ｃが形成され、前記鍔部２０６ｄとの装着をガイドするとともに位置決めするようにされている。
【００４４】
　前記把持部２１２は、図８、図１１に示すように、略矩形状断面を有し、長手方向略中央部より前記先軸係合部２１１側に向かいやや先細りのテーパ形状を呈し、その内部を中空構造としている。
【００４５】
　次に、本実施形態の中綿式筆記具２００と螺合締め込み部材２１０の作用について説明する。
　図８に示すように、中綿式筆記具２００は先軸２０５と軸筒２０２とが組み付けられた状態にある。前記先軸２０５と軸筒２０２とは螺合装着されている。
　この状態から前記先軸２０５を軸筒２０２から取外す場合、ネジ部を弛める必要がある。
【００４６】
　まず、螺合締め込み部材２１０の先軸係合部２１１と先軸２０５を対向させて、貫通穴２１１ａに先軸２０５をペン芯２０７側より差し込んで、先軸係合部２１１の凸状係合部２１１ｂと鍔部２０６ｄの凹状係合部２０６ｅとを嵌め合わせる。
　そして、前記螺合締め込み部材２１０の把持部２１２を握り、該把持部２１２を先軸２０５に押し付けた状態で、先軸２０５のネジ部（図示省略）が弛む方向（例えば、反時計回りの方向）に螺合嵌め込み部材２１０を回転させる。
【００４７】
　先軸２０５のネジ部が弛んだら、先軸係合部２１１を先軸２０５から外して、後は素手で先軸２０５を簡単に回して軸筒２０２から取外す。こうして、軸筒２０２内から中綿を取り出せる状態となる。そして、使用済みの中綿を軸筒２０２から取り出し、新しい補充用中綿を入れて、先軸２０５を装着して補充用中綿を軸筒２０２に収容する。
【００４８】
　そして、再び螺合締め込み部材２１０の先軸係合部２１１に先軸２０５を挿嵌し、前記先軸係合部２１１の凸状係合部２１１ｂと鍔部２０６ｄの凹状係合部２０６ｅとを嵌め合わせる。
【００４９】
　そして、把持部２１２を握り、先軸係係合部２１１を先軸２０５の鍔部２０６ｄに押し付けた状態で、先軸２０５のネジ部が締まる方向（例えば、時計回りの方向）に螺合締め込み部材２１０を回転させて、先軸２０５と軸筒２０２とをさらに締め付けて螺合状態を確実にする。このようにして、補充用中綿が収容される収容部を確実に密閉することができる。
【００５０】
　以上のように構成したので、第２の実施形態によれば、螺合締め込み部材２１０により先軸２０５を着脱するようにしたので、確実に着脱すことができるとともに、先軸２０５と軸筒２０２とのシール性の向上を図ることができる。しかも、先軸２０５の着脱作業を行なう場合、螺合締め込み部材２１０を持って作業するため、手を汚すことなく確実に作業を行なうことができる。
【００５１】
　また、本実施形態によれば、螺合締め込み部材２１０を別体で構成したので、その螺合締め込み部材の形状は本実施形態に記載の形状に限定されるものではなく、先軸２０５と係合される部分を除き、自由な形状に構成できる。したがって、ユーザーに対応し、且つ使い勝手に優れた形状を実現できる。
【００５２】
　尚、本実施形態では、ペン先側前面部２０６の鍔部２０６ｄの外周側部に凹状係合部２０６ｅを形成して、凸状係合部２１１ｂが鍔部２０６ｄの側部に入り込み、側部で係合するようにしているが、本発明はこれに限定されるものではなく、例えば、第１の実施形態のように、ペン先側前面部２０６の先端側より挿嵌される螺合締め込み部材の係合部が、前記ペン先側前面部２０６の前面側で係合するように係合部を構成するようにしたものであっても良い。
【００５３】
　さらに、本発明の構成は、上述の図示例にのみ限定されるものではなく、本発明の要旨を逸脱しない範囲内において種々変更を加え得ることは勿論である。
【図面の簡単な説明】
【００５４】
【図１】本発明の実施形態に係る中綿収容器により補充用の中綿を収容する両頭タイプの中綿式筆記具の全体の構成を示す部分断面図である。
【図２】前記中綿式筆記具の軸筒の太側端部付近の構成を示す詳細部分断面図である。
【図３】前記中綿式筆記具の軸筒の細側端部付近の構成を示す詳細部分断面図である。
【図４】前記中綿式筆記具の構成を示す概略分解図である。
【図５】本実施形態に係る補充用中綿収容器の構成を示す概略分解図である。
【図６】前記中綿式筆記具の軸筒と先軸の着脱操作を示す説明図である。
【図７】その他の実施例の中綿式筆記具の軸筒の太側端部付近の構成を示す詳細部分断面図である。
【図８】本発明の第２の実施形態に係る中綿式筆記具の先軸と螺合締め込み装置の構成を示す説明図である。
【図９】図８のＡ矢視図である。
【図１０】図８のＢ−Ｂ断面矢視図である。
【図１１】螺合締め込み部材の全体構成を示す平面図である。
【符号の説明】
【００５５】
　１、２００　中綿式筆記具
　２、２０２　軸筒
　２ａ　太側端部
　２ｂ　細側端部
　２ｄ　ネジ部
　３　中綿
　４　収容部
　５、２０５　先軸
　５ａ　ネジ部
　５ｄ　ペン芯取付け部
　５ｆ　凹状係合部
　６　クチプラ
　７　太側ペン芯
　８　細側ペン芯
１０　太側キャップ
１１　細側キャップ
１２、１３　嵌合シール
１４　シール材
３０　補充用中綿
３１　補充用中綿収容器（中綿収容器）
３２　収容部
３３　ケース部
３３ｂ　ケース底部
３４　蓋部
３５　隔壁部
３６　凸状係合部
３７　ペン先逃がし部
３７ａ　ペン先逃がし部の開口部
２０６　ペン先側前面部
２０６ａ　鍔部
２０６ｅ　凹状係合部
２１０　螺合締め込み部材
２１１　先軸係合部
２１１ａ　貫通穴
２１１ｂ　凸状係合部
２１２　把持部
【図１】
2004066833.tif 000003
【図２】
2004066833.tif 000004
【図３】
2004066833.tif 000005
【図４】
2004066833.tif 000006
【図５】
2004066833.tif 000007
【図６】
2004066833.tif 000008
【図７】
2004066833.tif 000009
【図８】
2004066833.tif 000010
【図９】
2004066833.tif 000011
【図１０】
2004066833.tif 000012
【図１１】
2004066833.tif 000013